(57)【要約】      （修正有）【課題】ペン芯部材を覆う従来のキャップの紛失を防止すると共に、使い勝手のよいものを提供する。【解決手段】ペン芯部材２を前側に、そしてこのペン芯部材２にインクを供給するためのインク収容部３を後側に具備した筆記主要部１と、この筆記主要部１を前後方向ｆ１の摺動変位自在に保持し且つ前記筆記主要部１のペン芯部材２周辺を密閉状に保持して前記インクの蒸散を阻止するものとした筒状ケース体４とを備え、この筒状ケース体４はこれの前端面部５ｂにケース透孔ａ１を形成されると共にこのケース透孔ａ１を覆うための蓋部材６が外表面に形成された案内部７に開閉変位可能に係着されるほか前記蓋部材６が前記筆記主要部１に連動連結されたものとなされており、前記蓋部材６が特定方向へ変位されたときに、前記ケース透孔ａ１が開放状態となって前記ペン芯部材２が前記ケース透孔ａ１を通じて前記前端面部５ａの前外方へ突出される構成となす。【選択図】図１
0003117710.tif 000002
【実用新案登録請求の範囲】
【請求項１】
ペン芯部材を前側に、そしてこのペン芯部材にインクを供給するためのインク収容部を後側に具備した筆記主要部と、この筆記主要部を前後方向の摺動変位自在に保持し且つ前記筆記主要部のペン芯部材周辺を密閉状に保持して前記インクの蒸散を阻止するものとした筒状ケース体とを備え、この筒状ケース体は、これの前端面部にケース透孔を形成されると共にこのケース透孔を覆うための蓋部材が外表面に形成された案内部に開閉変位可能に係着されるほか前記蓋部材が前記筆記主要部に連動連結されたものとなされており、前記蓋部材が特定方向へ変位されたときに、前記ケース透孔が開放状態となって前記ペン芯部材が前記ケース透孔を通じて前記前端面部の前外方へ突出されることを特徴とするマジックペン。
【請求項２】
前記案内部が、前記筒状ケース体の外表面の前記前後方向に沿う全周囲箇所に形成された無端状溝となされると共にこの無端状溝の底面の範囲内に前記ケース透孔が位置されたものとなされており、一方では前記蓋部材が、前記無端状溝に密状の摺動変位可能に外嵌される無端状ベルトとなされると共にこの無端状ベルトの特定位置に前記ケース透孔を開放状態にするためのベルト透孔を形成されたものとなされていることを特徴とする請求項１記載のマジックペン。
【請求項３】
前記筒状ケース体が前記筆記主要部の全体を包囲していることを特徴とする請求項１又は２記載のマジックペン。
【請求項４】
前記筒状ケース体と、前記ペン芯部材よりも後側をなす前記筆記主要部の外周面との間に前記ペン芯部材周辺を密状に保持するためのシール部材を設けたことを特徴とする請求項１、２又は３記載のマジックペン。
【請求項５】
前記蓋部材と前記筆記主要部とが前記シール部材の後側で連動連結されていることを特徴とする請求項４記載のマジックペン。
【考案の詳細な説明】
【技術分野】
【０００１】
本考案は、フェルトペン、サインペン、マーカーペンなどを含むものとしてのマジックペンに関する。
【背景技術】
【０００２】
ペン芯部材を前側に、そしてこのペン芯部材にインクを供給するためのインク収容部を後側に形成してあり、不使用時にはペン芯部材周辺を密状に覆ってインクの蒸散を阻止し使用時には取り外してペン芯部材を外方に露出させるためのキャップを具備したマジックペンは従来より存在している。
【０００３】
技術水準を示すものとして、例えば特許文献１及び２などが存在している。
【特許文献１】特開２０００−２３８４８９号公報
【特許文献２】特開２０００−９４８８５号公報
【考案の開示】
【考案が解決しようとする課題】
【０００４】
従来のマジックペンでは次のような問題点がある。
使用にさいしてキャップが取り外されるが、この取り外されたキャップは胸ポケットなどに収容したり或いはインク収容部の後端に嵌合させて仮止めするなどしている。
しかし、このように処理したキャップであっても、気づかないうちに紛失したり、工事現場などで拾い上げ不可能な場所に落下させることがある。
この場合、インクが残っていても、キャップがないために、インクが大気中に蒸散してしまって使用不可能となってしまうのである。
【０００５】
また使用にさいしてキャップを取り外して適当な場所に収容したり、使用後にはキャップを収容場所から取り出して再び装着することが行われるが、このような処理は必ずしも使い勝手のよいものとは言えないものである。
【０００６】
本考案は、これらの問題点に対処できるものとしたマジックペンを提供することを目的とする。
【課題を解決するための手段】
【０００７】
上記目的を達成するため、本考案に係るマジックペンは、請求項１に記載したように、 ペン芯部材を前側に、そしてこのペン芯部材にインクを供給するためのインク収容部を後側に具備した筆記主要部と、この筆記主要部を前後方向の摺動変位自在に保持し且つ前記筆記主要部のペン芯部材周辺を密閉状に保持して前記インクの蒸散を阻止するものとした筒状ケース体とを備え、この筒状ケース体は、これの前端面部にケース透孔を形成されると共にこのケース透孔を覆うための蓋部材が外表面に形成された案内部に開閉変位可能に係着されるほか前記蓋部材が前記筆記主要部に連動連結されるものとなされており、前記蓋部材が特定方向へ変位されたときに、前記ケース透孔が開放状態となって前記ペン芯部材が前記ケース透孔を通じて前記前端面部の前外方へ突出されることを特徴とするものである。
【０００８】
上記考案は次のように具体化することができる。
即ち、請求項２に記載したように、前記案内部が、前記筒状ケース体の外表面の前記前後方向に沿う全周囲箇所に形成された無端状溝となされると共にこの無端状溝の底面の範囲内に前記ケース透孔が位置しているものとなされており、一方では前記蓋部材が、前記無端状溝に密状の摺動変位可能に外嵌される無端状ベルトとなされると共にこの無端状ベルトの特定位置に前記ケース透孔を開放状態にするためのベルト透孔を形成されたものとなされている構成となす。
【０００９】
また請求項３に記載したように、前記筒状ケース体が前記筆記主要部の全体を密状に包囲している構成となす。
【００１０】
また請求項４に記載したように、前記筒状ケース体と、前記ペン芯部材よりも後側をなす前記筆記主要部の外周面との間に前記ペン芯部材周辺を密状に保持するためのシール部材を設けた構成となす。
【００１１】
さらには請求項５に記載したように、請求項４記載の構成を前提とした上で、前記蓋部材と前記筆記主要部とが前記シール部材の後側で連動連結されている構成となす。
【考案の効果】
【００１２】
上記した本考案によれば、次のような効果が得られる。
即ち、請求項１記載のものによれば、蓋部材が筒状ケース体に係着されているため、従来方式のキャップは不要となって、キャップを紛失することのないものとなり、またキャップの紛失によるインクの急速な蒸散により使用不可能になるなどの事態は生じないものとなる。また不使用状態と使用状態との間での状態切換が筒状ケース体を持った手の一本の指の動作により行えて便利に使用できるものとなる。
【００１３】
また請求項２記載のものによれば、無端状ベルトを前後移動させることにより不使用状態と使用状態との間での状態切換が行えるものとなり、また無端状ベルトは筒状ケース体の前端面部及び後端面部のそれぞれの案内部で案内されるようになるため、前端面部と無端状ベルトとの接触圧力を、後端面部と無端状ベルトとの接触圧力に対する反作用で増大させることができ、これにより前端面部のケース透孔周辺に無端状ベルトを緊張状に密接させてケース透孔を確実な気密状に閉鎖することができるものとなる。
【００１４】
また請求項３記載のものによれば、不使用状態と使用状態との間での状態切換のさいに筒状ケース体の内方で筆記主要部が前後移動されるが、この前後移動が筒状ケース体を把持した手に妨げられることなく円滑に行われるものとなる。
【００１５】
また請求項４記載のものによれば、筒状ケース体の内方空間のうちシール部材の前側となる箇所でペン芯部材周辺を気密状に保持することができてペン芯部材周辺からのインクの蒸散を防止することができるのであり、このさいペン芯部材を気密状に囲む密閉空間が筒状ケース体の内方空間の全体大きさと較べて比較的小さくなすことができ、筒状ケース体の内方空間の全体を気密状に保持してインクの蒸散を防止する場合に較べると、インクの無駄な蒸散をより少なく抑えることができる。
【００１６】
さらに請求項５記載のものによれば、筒状ケース体の内方空間のうちシール部材の前側となる箇所でペン芯部材周辺を気密状に保持することができるものであるため、シール部材の後側での気密性は不必要となり、したがって蓋部材と筆記主要部とを連動連結させる上で気密性を確保する必要のないものとなる。
【考案を実施するための最良の形態】
【００１７】
次に本考案の実施の形態を図１及び図２を参照して説明する。
図１は本考案に係るマジックペンの不使用状態を示す側面視断面図、図２は前記マジックペンの筒状ケース体に係りＡは図１中のｘ１−ｘ１部を示す端面図でＢは図１中のｘ２−ｘ２部を示す端面図、図３は前記マジックペンに係りＡは正面図でＢは蓋部材としての無端状ベルトの一部を示す平面図、図４は前記マジックペンの使用状態を示す側面視断面図である。
【００１８】
図１において、１は筆記主要部で、比較的小径となされたペン芯部材２を前側に具備し、このペン芯部材２にインクを供給するための細長丸棒状のインク収容部３を後側に具備したものとなされている。
【００１９】
４は筆記主要部１を前後方向ｆ１の摺動変位自在に保持し且つ筆記主要部１のペン芯部材２周辺を密閉状に保持してインク収容部３内のインクの蒸散を阻止するものとした筒状ケース体である。
【００２０】
この筒状ケース体４は、内部空間を密閉状となされる筒状のケース本体５と、このケース本体５の外表面に係着され蓋部材として機能する無端状ベルト６とからなっている。そして、ケース本体５は直円筒部５ａと、これの前端に一体状に形成され前側へ張り出した半球面形状となされた前端面部５ｂとからなる本体主要部５Ａを備えると共に、直円筒部５ａの後端に後側へ張り出した半球面形状となされた後端面部５Ｂを嵌着されている。
【００２１】
このさい、前端面部５ｂの中央位置にはインク収容部３の前端に形成された比較的小径のペン芯保持部３ａの進入し得る断面形状となされたケース透孔ａ１が形成されており、また前端面部５ｂの内面にはインク収容部３のペン芯保持部３ａの直後に形成されたテーパ雄面ｂ１と密状に接触し得る形状となされたテーパ雌面ｂ２が形成されている。そして、本体主要部５Ａの直円筒部５ａの後部周壁には前後方向ｆ１へ長くなされたスリットｃ１が形成されている。
【００２２】
図２にも示すように、この筒状ケース本体５の外表面の前後方向ｆ１に沿った全周囲箇所でしかもケース透孔ａ１及びスリットｃ１を含む特定巾箇所ｄ１には長円環状の案内部７が形成されている。この案内部７は無端状溝となされていて左右方向を直線となされた帯状の底面７ａと、この底面７ａの左右端に位置された一対の側面７ｂ、７ｂとを具備している。
【００２３】
また図３にも示すように、無端状ベルト６はその巾ｄ２を案内部７のそれに略合致され案内部７内に前後摺動可能な密状に嵌合されると共に案内部７内に完全に嵌合された状態の下で上面がケース本体５の外表面に円滑に連続するような円弧面となされており、且つ、ケース透孔ａ１に関連した位置に長円状のベルト透孔ａ２を形成されると共にスリットｃ１に関連した位置の内面箇所に突起６ａを形成され、この突起６ａがインク収容部３の後部に形成された環状の係止孔ｅ１内に嵌合されて筆記主要部１と連動連結されており、さらにケース本体５の前部にて前後方向ｆ１の操作力を付与される操作部６ｂを形成されたものとなされている。
【００２４】
このさい、無端状ベルト６がケース透孔ａ１を覆う位置に位置されたときに、即ち、無端状ベルト６が図１に示す状態にあるときにケース透孔ａ１を覆うものとなる無端状ベルト６箇所の底面に、ケース透孔ａ１周辺の案内部７の底面７ａに気密状に接触することを確実化させるためのシール部材（例えば軟質材又は不乾性湿潤材など）を被着させることも差し支えない。或いはこれとは逆に、ケース透孔ａ１周辺の案内部７の底面７ａ上に、無端状ベルト６がケース透孔ａ１周辺の案内部７の底面７ａに気密状に接触することを確実化させるためのシール部材（例えば軟質材又は不乾性湿潤材など）を被着させることも差し支えない。
【００２５】
さらにケース本体５の直円筒部５ａの内面面と、インク収容部３の直円筒部の外周面との間に、ペン芯部材２周辺を密閉状に保持することを確実となすため環状のシール部材（Ｏリングなど）８が圧密状に装着されている。このさい、シール部材８はインク収容部３の外周面に形成された環状溝ｅ２に担持される。
【００２６】
なおスリットｃ１周辺にも無端状ベルト６がスリットｃ１を気密状に覆うことを確実化させるための適宜なシール手段を形成することも差し支えない。
【００２７】
次に上記マジックペンの使用例及び作用について説明する。
不使用状態では、操作部６ｂを図１に示す不使用位置ｐ１に位置させるのであり、このさい無端状ベルト６のベルト透孔ａ２の存在しない箇所がケース透孔ａ１を気密状に覆った状態となる。
【００２８】
このさいペン芯部材２周辺は、ケース本体５の前端面部５ｂ、無端状ベルト６、インク収容部３、及び、シール手段８により気密状に覆われた状態となり、インク収容部３内のインクは大気中に蒸散することはない。
【００２９】
なお、筆記主要部１の全体が筒状ケース体４で包囲されているため、たとえシール部材８の気密性が損なわれても、スリットｃ１を無端状ベルト６により気密状に覆った状態となすことで、スリットｃ１を通じたインク収容部３内のインクの蒸散を阻止することができる。
【００３０】
この不使用状態から筆記可能な使用状態となすときは、操作部６ｂに前側へ向かう操作力を付与して、無端状ベルト６を案内部７上で摺動変位させる。この摺動変位中には、突起６ａが筆記主要部１に変位力を付与するため、筆記主要部１はケース本体５の内周面に案内されつつ無端状ベルト６に連動して前方へ変位され、一方ではベルト透孔ａ２がケース透孔ａ１に向けて変位される。
【００３１】
操作部６ｂが使用位置近傍に到達すると、ベルト透孔ａ２がケース透孔ａ１の前側に位置してケース透孔ａ１を外方に開放した状態となり、この開放に同期してペン芯部材２がケース透孔ａ１の内方に到達する。この後は、操作部６ｂが図４に示す使用位置ｐ２に到達するまで、ペン芯部材２は無端状ベルト６に連動しながら、ケース透孔ａ１及びベルト透孔ａ２を通じて筒状ケース体４の前端面部５ｂの前方へ向け移動する。
【００３２】
こうして操作部６ｂが使用位置ｐ２に位置されたときには、ペン芯部材２が前端面部５ｂの前方に張り出した状態となり、且つ、ペン芯保持部３ａがケース透孔ａ１内に密状に進入しインク収容部３のテーパ雄面ｂ１が前端面部５ｂのテーパ雌面ｂ２に密接した状態となり、この結果、筆記主要部１は筒状ケース体４内で遊動の生じない状態に固定化される。この状態の下で、使用者は筒状ケース体４を把持して筆記する。
【００３３】
使用後は、操作部６ｂを後側へ押し変位させるのであり、これにより各部は操作部６ｂを前側へ押し変位させたときの逆に作動し、操作部６ｂが不使用位置ｐ１に達したとき、各部は図１に示す状態に復帰される。
【図面の簡単な説明】
【００３４】
【図１】本考案に係るマジックペンの不使用状態を示す側面視断面図である。
【図２】前記マジックペンの筒状ケース体に係りＡは図１中のｘ１−ｘ１部を示す端面図でＢは図１中のｘ２−ｘ２部を示す端面図である。
【図３】前記マジックペンに係りＡは正面図でＢは蓋部材としての無端状ベルトの一部を示す平面図である。
【図４】前記マジックペンの使用状態を示す側面視断面図である。
【符号の説明】
【００３５】
１  筆記主要部
２  ペン芯部材
３  インク収容部
４  筒状ケース体
５ｂ  前端面部
６  蓋部材（無端状ベルト）
７  案内部
７ａ  底面
８  シール部材
ａ１  ケース透孔
ａ２  ベルト透孔
ｆ１  前後方向
【図１】
0003117710.tif 000003
【図２】
0003117710.tif 000004
【図３】
0003117710.tif 000005
【図４】
0003117710.tif 000006